(57)【要約】  複数の発光素子を封止する樹脂中で沈殿している蛍光体の濃度に発光素子間でバラつきがあっても発光時に色ムラが目立たない発光装置およびその製造方法を提供する。発光装置は、基板と、基板上に実装された複数の発光素子と、複数の発光素子を一体的に封止し、複数の発光素子からの光により励起される第１の蛍光体を、基板から遠い側である上端から基板に近い側である下端に向かうほど高い濃度で含有する第１の樹脂層と、第１の樹脂層よりも上に配置され、複数の発光素子からの光により励起される第２の蛍光体を一様な濃度で含有する第２の樹脂層とを有する。
2017134994.tif 000002
【特許請求の範囲】
【請求項１】
基板と、
前記基板上に実装された複数の発光素子と、
前記複数の発光素子を一体的に封止し、前記複数の発光素子からの光により励起される第１の蛍光体を、前記基板から遠い側である上端から前記基板に近い側である下端に向かうほど高い濃度で含有する第１の樹脂層と、
前記第１の樹脂層よりも上に配置され、前記複数の発光素子からの光により励起される第２の蛍光体を一様な濃度で含有する第２の樹脂層と、
を有することを特徴とする発光装置。
【請求項２】
前記第２の樹脂層における前記第２の蛍光体の濃度は、前記第１の樹脂層の前記下端における前記第１の蛍光体の濃度よりも低い、請求項１に記載の発光装置。
【請求項３】
前記第２の樹脂層における前記第２の蛍光体の濃度は、前記第１の樹脂層の前記上端における前記第１の蛍光体の濃度よりも高い、請求項２に記載の発光装置。
【請求項４】
前記第１の樹脂層の前記上端は、前記第１の蛍光体を含有しない透明樹脂層である、請求項３に記載の発光装置。
【請求項５】
基板上に複数の発光素子を実装する工程と、
前記複数の発光素子からの光により励起される第１の蛍光体を含有する未硬化の樹脂で前記複数の発光素子を一体的に封止して、第１の樹脂層を形成する工程と、
前記第１の樹脂層を未硬化の状態に保ったままで、前記第１の蛍光体を前記基板側に沈殿させる工程と、
前記第１の樹脂層を硬化させる工程と、
前記複数の発光素子からの光により励起される第２の蛍光体を一様な濃度で含有する第２の樹脂層を前記第１の樹脂層よりも上に配置する工程と、
を有することを特徴とする発光装置の製造方法。
【発明の詳細な説明】
【技術分野】
【０００１】
本発明は、発光装置およびその製造方法に関する。
【背景技術】
【０００２】
セラミック基板または金属基板などの汎用基板の上にＬＥＤ（発光ダイオード）素子などの発光素子が実装されたＣＯＢ（Chip On Board）の発光装置が知られている。こうした発光装置では、蛍光体を含有する透光性の樹脂によりＬＥＤ素子を封止し、ＬＥＤ素子からの光と、ＬＥＤ素子からの光により蛍光体を励起させて得られる光とを混合させることにより、用途に応じて白色光などが得られる。【０００３】
こうした発光装置については、放熱性の向上および色度のバラつきの抑制などを目的として、蛍光体を分散させた未硬化の樹脂でＬＥＤ素子を封止し、その蛍光体を沈殿（沈降）させてから樹脂を硬化させる製造方法が知られている。例えば、特許文献１には、支持体上に配置されたＬＥＤチップと、ＬＥＤチップからの発光の少なくとも一部を吸収し波長変換して発光する蛍光体を含み、ＬＥＤチップ上およびＬＥＤチップ上以外の支持体上に形成されたコーティング部とを有する発光ダイオードが記載されている。このコーティング部は、蛍光体を気相又は液相中に分散させて、その蛍光体を沈降させることにより形成される。【０００４】
また、特許文献２には、蛍光体を含まない透光性樹脂にて基板上のＬＥＤチップを封止し、蛍光体を含有する樹脂層をその上に均一な厚みで形成することにより、透光性樹脂内に蛍光体を分散させた場合よりも色むらを生じにくくした発光装置が記載されている。
【先行技術文献】
【特許文献】
【０００５】
【特許文献１】特開平１１−０４０８５８号公報
【特許文献２】特開２００３−１０１０７４号公報
【発明の概要】
【０００６】
蛍光体を分散させた未硬化の樹脂で発光素子を封止し、その蛍光体を沈殿させる際には、樹脂の粘度が低下していく過程で樹脂中に流れが発生して、蛍光体も流動する。特に、１つの基板上に複数の発光素子が実装されている場合には、この樹脂の流動が場所によって変化し得るので、蛍光体の沈殿状態（濃度）にバラつきが生じやすい。このため、１つの基板上に複数の発光素子が実装されている場合には、１つの基板上に１つの発光素子だけを実装した場合とは異なり、発光素子間で蛍光体の濃度にバラつきが生じ、これに起因して発光のバラつき（色ムラ）が目立つ。
【０００７】
そこで、本発明は、複数の発光素子を封止する樹脂中で沈殿している蛍光体の濃度に発光素子間でバラつきがあっても発光時に色ムラが目立たない発光装置およびその製造方法を提供することを目的とする。
【０００８】
基板と、基板上に実装された複数の発光素子と、複数の発光素子を一体的に封止し、複数の発光素子からの光により励起される第１の蛍光体を、基板から遠い側である上端から基板に近い側である下端に向かうほど高い濃度で含有する第１の樹脂層と、第１の樹脂層よりも上に配置され、複数の発光素子からの光により励起される第２の蛍光体を一様な濃度で含有する第２の樹脂層とを有することを特徴とする発光装置が提供される。
【０００９】
上記の発光装置では、第２の樹脂層における第２の蛍光体の濃度は、第１の樹脂層の下端における第１の蛍光体の濃度よりも低く、第２の樹脂層における第２の蛍光体の濃度は、第１の樹脂層の上端における第１の蛍光体の濃度よりも高いことが好ましい。
【００１０】
上記の発光装置では、第１の樹脂層の上端は、第１の蛍光体を含有しない透明樹脂層であることが好ましい。
【００１１】
また、基板上に複数の発光素子を実装する工程と、複数の発光素子からの光により励起される第１の蛍光体を含有する未硬化の樹脂で複数の発光素子を一体的に封止して、第１の樹脂層を形成する工程と、第１の樹脂層を未硬化の状態に保ったままで、第１の蛍光体を基板側に沈殿させる工程と、第１の樹脂層を硬化させる工程と、複数の発光素子からの光により励起される第２の蛍光体を一様な濃度で含有する第２の樹脂層を第１の樹脂層よりも上に配置する工程とを有することを特徴とする発光装置の製造方法が提供される。
【００１２】
上記の発光装置およびその製造方法によれば、複数の発光素子を封止する樹脂中で沈殿している蛍光体の濃度に発光素子間でバラつきがあっても発光時に色ムラが目立たない。
【図面の簡単な説明】
【００１３】
【図１】発光装置１の斜視図である。
【図２】図１のＩＩ−ＩＩ線に沿った断面図である。
【図３】回路基板２０およびＬＥＤ素子３０の配置を説明するための斜視図である。
【図４】図３のＩＶ−ＩＶ線に沿った断面図である。
【図５】（Ａ）〜（Ｄ）は、沈殿蛍光体層５０と分散蛍光体層６０における蛍光体の濃度分布の例を示す図である。
【図６】発光装置１の製造工程の例を示すフローチャートである。
【図７】別の発光装置２の斜視図である。
【図８】図７のＶＩＩＩ−ＶＩＩＩ線に沿った断面図である。
【発明を実施するための形態】
【００１４】
以下、図面を参照しつつ、発光装置およびその製造方法について説明する。ただし、本発明は図面または以下に記載される実施形態には限定されないことを理解されたい。
【００１５】
図１は、発光装置１の斜視図である。また、図２は、図１のＩＩ−ＩＩ線に沿った断面図である。発光装置１は、発光素子としてＬＥＤ素子を含み、例えば各種の照明用のＬＥＤ光源装置として利用される。発光装置１は、主要な構成要素として、実装基板１０、回路基板２０、ＬＥＤ素子３０、樹脂枠４０、沈殿蛍光体層５０および分散蛍光体層６０を有する。
【００１６】
実装基板１０は、一例として正方形の形状を有し、その上面の中央にＬＥＤ素子３０が実装される円形の実装領域１１（後述する図３を参照）を有する金属基板である。実装基板１０は、ＬＥＤ素子３０および後述する蛍光体の粒子により発生した熱を放熱させる放熱基板としても機能するため、例えば、耐熱性および放熱性に優れたアルミニウムで構成される。ただし、実装基板１０の材質は、耐熱性と放熱性に優れたものであれば、例えば銅など、別の金属でもよい。
【００１７】
図３は、回路基板２０およびＬＥＤ素子３０の配置を説明するための斜視図である。また、図４は、図３のＩＶ−ＩＶ線に沿った断面図である。
【００１８】
回路基板２０は、一例として、実装基板１０と同じ大きさの正方形の形状を有し、その中心部に円形の開口部２１を有する。回路基板２０は、その下面が例えば接着シートにより実装基板１０の上に貼り付けられて固定される。開口部２１を取り囲むように、回路基板２０の上面における一方の側には配線パターン２３Ａが、他方の側には配線パターン２３Ｂが、それぞれ形成されている。また、回路基板２０の上面で対角に位置する一方の角部には接続電極２４Ａが、他方の角部には接続電極２４Ｂが、それぞれ形成されている。接続電極２４Ａ，２４Ｂは一方がアノード電極で他方がカソード電極となり、これらが外部電源に接続されて電圧が印加されることによって、発光装置１は発光する。
【００１９】
ＬＥＤ素子３０は、発光素子の一例であり、例えば、紫外域から青色領域にわたる波長の光を出射する窒化ガリウム系化合物半導体などのＬＥＤ素子である。以下では、ＬＥＤ素子３０は、例えば発光波長帯域が４５０〜４６０ｎｍ程度の青色光を発光する青色ＬＥＤであるとする。ただし、ＬＥＤ素子３０は、紫色光または紫外光といった他の波長の光を発光する素子であってもよい。発光装置１では、複数のＬＥＤ素子３０が、回路基板２０の開口部２１内で露出している実装基板１０の実装領域１１上に、格子状に配列して実装されている。図３は、特に２１個のＬＥＤ素子３０が実装された場合の例を示す。ＬＥＤ素子３０の下面は、例えば透明な絶縁性の接着剤などにより、実装基板１０の上面に固定されている。
【００２０】
ＬＥＤ素子３０は上面に一対の素子電極を有し、図３および図４に示すように、隣接するＬＥＤ素子３０の素子電極は、ボンディングワイヤ３１（以下、単にワイヤ３１という）により相互に電気的に接続されている。開口部２１の外周側に位置するＬＥＤ素子３０から出たワイヤ３１は、回路基板２０の配線パターン２３Ａまたは配線パターン２３Ｂに接続されている。これにより、各ＬＥＤ素子３０には、ワイヤ３１を介して電流が供給される。
【００２１】
樹脂枠４０は、回路基板２０の開口部２１の大きさに合わせて例えば白色の樹脂で構成された円形の枠体であり、回路基板２０の上面で、開口部２１を縁取るように形成された配線パターン２３Ａ，２３Ｂと重なる位置に固定される。樹脂枠４０は、沈殿蛍光体層５０および分散蛍光体層６０の樹脂の流出しを防止するためのダム材であり、また、ＬＥＤ素子３０から側方に出射された光を、発光装置１の上方（ＬＥＤ素子３０から見て実装基板１０とは反対側）に向けて反射させる。
【００２２】
沈殿蛍光体層５０は、第１の樹脂層の一例であり、第１の蛍光体である蛍光体５１を含有する透光性の樹脂により構成される。沈殿蛍光体層５０は、図２に示すように、樹脂枠４０により囲まれた実装基板１０上の空間をワイヤ３１の上端よりも高い位置まで埋め尽くしており、複数のＬＥＤ素子３０およびワイヤ３１を一体に被覆し保護（封止）する。沈殿蛍光体層５０には、例えば、エポキシ樹脂またはシリコーン樹脂などの無色かつ透明な熱硬化性樹脂が使用される。
【００２３】
蛍光体５１は、例えばＹＡＧ（Yttrium Aluminum Garnet）などの黄色蛍光体であり、その粒子は、沈殿蛍光体層５０内で下方に沈殿している。すなわち、沈殿蛍光体層５０は、複数のＬＥＤ素子３０からの光により励起される蛍光体５１を、実装基板１０から遠い側である上端から実装基板１０に近い側である下端に向かうほど高い濃度で含有する。図２では、沈殿蛍光体層５０における蛍光体５１の粒子の沈殿を、濃淡の模様により表している。なお、実際には、図２に示すように、蛍光体５１は、実装基板１０の上面だけでなくＬＥＤ素子３０の上面にも沈殿する。
【００２４】
発光装置１は、ＬＥＤ素子３０からの青色光と、それによって沈殿蛍光体層５０内の蛍光体５１を励起させて得られる黄色光とを混合させることで得られる白色光を出射する。発光装置１では、ＬＥＤ素子３０は放熱性の高い実装基板１０上に直接実装されており、沈殿蛍光体層５０内の蛍光体５１は実装基板１０に近い位置に沈殿しているため、ＬＥＤ素子３０および蛍光体５１で発生した熱は、実装基板１０を介して装置外部に逃げやすくなる。したがって、熱によるＬＥＤ素子３０の発光強度の低下を防ぐことができるため、発光強度の向上の点で有利である。
【００２５】
分散蛍光体層６０は、第２の樹脂層の一例であり、第２の蛍光体である蛍光体６１を含有する透光性の樹脂により構成され、沈殿蛍光体層５０の上に配置されている。分散蛍光体層６０にも、例えば、エポキシ樹脂またはシリコーン樹脂などの無色かつ透明な樹脂が使用されるが、分散蛍光体層６０の材質は沈殿蛍光体層５０と同じでもよく、異なっていてもよい。また、沈殿蛍光体層５０と分散蛍光体層６０の間には、別の透明樹脂層があってもよい。
【００２６】
蛍光体６１は、例えば蛍光体５１と同じ黄色蛍光体である。分散蛍光体層６０は、複数のＬＥＤ素子３０からの光により励起される蛍光体６１を一様な濃度で含有する。すなわち、分散蛍光体層６０内では、蛍光体６１の粒子は、沈殿蛍光体層５０の蛍光体５１とは異なり、水平方向および垂直方向の位置によらず、均一に分散している。分散蛍光体層６０内でも、ＬＥＤ素子３０からの青色光と、それによって蛍光体６１を励起させて得られる黄色光とが混合することで、白色光が生成される。
【００２７】
発光装置１では、蛍光体６１が均一に分散している分散蛍光体層６０が沈殿蛍光体層５０の上にあることにより、沈殿蛍光体層５０からの青色光は、分散蛍光体層６０を通過することで白色光に変換される。このため、沈殿蛍光体層５０内の蛍光体５１の濃度にＬＥＤ素子３０間でバラつきがあり青色光が多く出射する部分があったとしても、そのような発光のバラつきは、出射光が分散蛍光体層６０を通過することで緩和される。したがって、分散蛍光体層６０があることにより、沈殿蛍光体層５０での蛍光体濃度のバラつきに起因する色ムラは目立たなくなる。
【００２８】
なお、沈殿蛍光体層５０と分散蛍光体層６０の一方または両方は、蛍光体５１，６１として、例えば緑色蛍光体および赤色蛍光体などの複数種類の蛍光体を含有してもよい。この場合、発光装置１は、青色ＬＥＤであるＬＥＤ素子３０からの青色光と、それによって緑色蛍光体および赤色蛍光体を励起させて得られる緑色光および赤色光とを混合させることで得られる白色光を出射する。緑色蛍光体は、ＬＥＤ素子３０が出射した青色光を吸収して緑色光に波長変換する、例えば（ＢａＳｒ）２ＳｉＯ４：Ｅｕ２＋などの粒子状の蛍光体材料である。赤色蛍光体は、ＬＥＤ素子３０が出射した青色光を吸収して赤色光に波長変換する、例えばＣａＡｌＳｉＮ３：Ｅｕ２＋などの粒子状の蛍光体材料である。
【００２９】
また、沈殿蛍光体層５０と分散蛍光体層６０の一方または両方は、蛍光体５１，６１として、例えば緑色蛍光体と赤色蛍光体に加えて黄色蛍光体をさらに含有してもよいし、黄色蛍光体と赤色蛍光体などの上記とは異なる組合せの蛍光体を含有してもよい。ただし、蛍光体の種類を増やし過ぎると、蛍光体の総量が増え、発熱量も多くなるため、放熱の点では不利になる。特に、実装基板１０から遠い分散蛍光体層６０内の蛍光体６１には、沈殿蛍光体層５０内の蛍光体５１よりも発熱量が少ないものを使用することが好ましい。
【００３０】
図５（Ａ）〜図５（Ｄ）は、沈殿蛍光体層５０と分散蛍光体層６０における蛍光体の濃度分布の例を示す図である。各図の左側では、濃淡の模様により、沈殿蛍光体層５０（沈殿蛍光体層５０Ａ〜５０Ｄ）における蛍光体５１の粒子の分布を表している。また、各図の右側では、高さ方向（Ｚ方向）における蛍光体の濃度分布ｆ（Ｚ）をグラフで示している。以下では、実装基板１０の上面を高さの基準（Ｚ＝０）とする。図５（Ａ）〜図５（Ｄ）では、分散蛍光体層６０はいずれも同じであるが、沈殿蛍光体層５０における蛍光体５１の濃度分布が互いに異なっている。沈殿蛍光体層５０と分散蛍光体層６０における蛍光体濃度の関係は、図５（Ａ）〜図５（Ｄ）に示した４通りのいずれであってもよい。
【００３１】
図５（Ａ）の例では、沈殿蛍光体層５０Ａは、上端における高さＺ１〜Ｚ２（Ｚ１＞Ｚ２）の範囲の透明樹脂層５３と、蛍光体５１を含有する高さＺ２〜０の範囲の中間濃度層５２とを有する。すなわち、分散蛍光体層６０の直下は、蛍光体５１を含有しない透明樹脂層５３である。分散蛍光体層６０の蛍光体濃度はｆ１であり、透明樹脂層５３の蛍光体濃度は０である。また、中間濃度層５２の蛍光体濃度は、高さがＺ２から０に近付くにつれて０から徐々に増加し、特に高さ０の付近で急激に増加して、下端付近ではｆ１よりも大きいｆ２になる。
【００３２】
図５（Ｂ）の例では、沈殿蛍光体層５０Ｂは、図５（Ａ）の場合と同様に、上端における高さＺ１〜Ｚ２の範囲の透明樹脂層５３と、蛍光体５１を含有する高さＺ２〜０の範囲の中間濃度層５２’とを有する。中間濃度層５２’の蛍光体濃度は、高さがＺ２から０に近付くにつれて０から直線上に増加して、下端付近では分散蛍光体層６０の蛍光体濃度ｆ１よりも大きいｆ２になる。
【００３３】
図５（Ｃ）の例では、沈殿蛍光体層５０Ｃは、上端のごくわずかな範囲を除いて透明樹脂層を有さず、沈殿蛍光体層５０Ｃの全体が蛍光体５１を含有している。沈殿蛍光体層５０Ｃの蛍光体濃度は、高さがＺ１から０に近付くにつれて０から直線上に増加して、下端付近では分散蛍光体層６０の蛍光体濃度ｆ１よりも大きいｆ２になる。
【００３４】
図５（Ｄ）の例では、沈殿蛍光体層５０Ｄは透明樹脂層を全く有さず、沈殿蛍光体層５０Ｄの全体が蛍光体５１を含有している。沈殿蛍光体層５０Ｄの蛍光体濃度は、高さがＺ１の上端では分散蛍光体層６０の蛍光体濃度ｆ１よりも小さいｆ３であり、高さがＺ１から０に近付くにつれてｆ３から直線上に増加して、下端付近ではｆ１よりも大きいｆ２になる。
【００３５】
図５（Ａ）〜図５（Ｄ）のいずれの例でも、分散蛍光体層６０の蛍光体濃度ｆ１は、沈殿蛍光体層５０内で最も濃度が高い部分の蛍光体濃度ｆ２よりも低い。すなわち、分散蛍光体層６０における蛍光体６１の濃度は、沈殿蛍光体層５０の下端における蛍光体５１の濃度よりも低いことが好ましい。分散蛍光体層６０は沈殿蛍光体層５０での蛍光体濃度のバラつきに起因する色ムラを緩和するための補助的なものであるから、分散蛍光体層６０の蛍光体濃度は、分散蛍光体層６０を通した出射光の輝度が低下しないように、高過ぎないことが好ましい。また、放熱の観点からも、分散蛍光体層６０の蛍光体濃度は高過ぎないことが好ましい。
【００３６】
また、図５（Ａ）〜図５（Ｄ）のいずれの例でも、分散蛍光体層６０の蛍光体濃度ｆ１は、沈殿蛍光体層５０内で最も濃度が低い部分の蛍光体濃度０またはｆ３よりも高い。すなわち、分散蛍光体層６０における蛍光体６１の濃度は、沈殿蛍光体層５０の上端（分散蛍光体層６０の直下）における蛍光体５１の濃度よりも高いことが好ましい。分散蛍光体層６０の蛍光体濃度は、低過ぎても色ムラの緩和効果が得られないため、ある程度の高さが必要になる。
【００３７】
また、特に図５（Ａ）および図５（Ｂ）の例のように、沈殿蛍光体層５０の上端（分散蛍光体層６０の直下）は、蛍光体５１を含有しない透明樹脂層５３であることが好ましい。分散蛍光体層６０と沈殿蛍光体層５０の上端との間における蛍光体濃度の差が大きいほど、色ムラの緩和効果はより顕著に現れる。したがって、図５（Ｃ）および図５（Ｄ）よりも図５（Ａ）および図５（Ｂ）の例の方が好ましく、特に図５（Ａ）の例が最も好ましい。
【００３８】
なお、図５（Ａ）〜図５（Ｄ）の例とは逆に、分散蛍光体層６０の蛍光体濃度ｆ１が沈殿蛍光体層５０の上端（分散蛍光体層６０の直下）における蛍光体濃度ｆ３よりも低いと、分散蛍光体層６０による色ムラの緩和効果はほとんど得られない。
【００３９】
分散蛍光体層６０の蛍光体濃度の上限は、分散蛍光体層６０の蛍光体６１による温度上昇量と分散蛍光体層６０を構成する樹脂の耐熱温度との関係によって定まる。また、分散蛍光体層６０の蛍光体濃度の下限は、沈殿蛍光体層５０での蛍光体濃度のバラつき度合いと、分散蛍光体層６０による色ムラの緩和度合いと、色ムラの許容範囲との関係によって定まる。分散蛍光体層６０の蛍光体濃度が高くなるほど色ムラは目立たなくなるが、上記の通り、その蛍光体濃度には上限があるため、実際に分散蛍光体層６０に分散混入させる蛍光体６１の量は、実験的に定められる。
【００４０】
沈殿蛍光体層５０を有する発光装置を実際に製造すると、蛍光体５１の濃度分布は製品ごとに異なるため、沈殿蛍光体層５０での蛍光体濃度のバラつき度合いに応じて、出射光の色度も製品ごとに異なる。しかしながら、分散蛍光体層６０の蛍光体濃度を調整すれば、製品ごとの色度差を打ち消して、出射光の色度を許容範囲内に収めることができる。このため、沈殿蛍光体層５０の上に分散蛍光体層６０を配置することにより、製品の不良率を低下させることも可能である。
【００４１】
なお、明度のムラを緩和させるのであれば、分散蛍光体層に代えて拡散層を配置することも考えられる。しかしながら、例えば局所的に青色光が多い部分がある場合には、拡散層でその青色光を拡散させても、色ムラはなくならない。この場合には、分散蛍光体層によって青色光に黄色光を加えた方が色ムラは目立たなくなるので、色ムラを緩和させるという目的のためには、拡散層ではなく分散蛍光体層を使用する方がよい。
【００４２】
図６は、発光装置１の製造工程の例を示すフローチャートである。発光装置１の製造時には、まず、図３に示すように、回路基板２０が貼り合わされた実装基板１０の実装領域１１上に、複数のＬＥＤ素子３０が実装される（Ｓ１）。そして、ＬＥＤ素子３０同士がワイヤ３１で接続され、各ＬＥＤ素子３０は、ワイヤ３１を介して配線パターン２３Ａ，２３Ｂに接続される（Ｓ２）。次に、開口部２１の縁部に沿って、回路基板２０上に樹脂枠４０が固定される（Ｓ３）。
【００４３】
続いて、ＬＥＤ素子３０からの光により励起される蛍光体５１を含有する未硬化の封止樹脂で、全てのＬＥＤ素子３０が一体的に封止される（Ｓ４）。そして、封止樹脂の層を未硬化の状態に保ったままで、封止樹脂内の蛍光体５１を実装基板１０側に沈殿（沈降）させる（Ｓ５）。その後で、封止樹脂を硬化させることにより、沈殿蛍光体層５０が形成される（Ｓ６）。最後に、ＬＥＤ素子３０からの光により励起される蛍光体６１を一様な濃度で含有する分散蛍光体層６０で、沈殿蛍光体層５０（封止樹脂）の上が覆われる（Ｓ７）。これにより、図１および図２に示す発光装置１が完成する。
【００４４】
図７は、別の発光装置２の斜視図である。図８は、図７のＶＩＩＩ−ＶＩＩＩ線に沿った断面図である。発光装置２は、発光装置１の実装基板１０と回路基板２０がセラミック基板２０’に替わっている点が発光装置１とは異なるが、その他は発光装置１と同じ構成を有する。セラミック基板２０’は、その上面に配線パターンおよび接続電極２４Ａ，２４Ｂが形成され、かつＬＥＤ素子３０が実装される平坦な基板であり、実装基板と回路基板を兼ねている。開口部がないセラミック基板２０’を用いる場合でも、図８に示すように、発光装置１と同じ沈殿蛍光体層５０と分散蛍光体層６０を用いてもよい。発光装置２でも、発光装置１と同様に、分散蛍光体層６０があることにより、沈殿蛍光体層５０での蛍光体濃度のバラつきに起因する色ムラは目立たなくなる。
【図１】
2017134994.tif 000003
【図２】
2017134994.tif 000004
【図３】
2017134994.tif 000005
【図４】
2017134994.tif 000006
【図５】
2017134994.tif 000007
【図６】
2017134994.tif 000008
【図７】
2017134994.tif 000009
【図８】
2017134994.tif 000010
【国際調査報告】
2017134994.tif 000011
2017134994.tif 000012
2017134994.tif 000013
2017134994.tif 000014